(57)【要約】  【課題】ノズルアタッチメントの着脱操作を円滑に行うことができるものでありながら、オイルブリードに起因するノズルアタッチメントの緩みを防止することのできるノズル交換式薬剤注入器を提供する。  【解決手段】先端にノズル部４とルアーロック部５とが設けられたシリンジ２と、該シリンジ２の先端部に交換可能に螺着されるノズルアタッチメント３とを備えるノズル交換式薬剤注入器１において、ルアーロック部５の外周に第１係合部１３を設け、ノズルアタッチメント３をロック位置まで螺進させたときにルアーロック部５に対するノズルアタッチメント３の逆回転を阻害するように第１係合部１３に周方向に係合する第２係合部１６をノズルアタッチメント３に設ける。【選択図】  図１
2015089420.tif 000002
【特許請求の範囲】
【請求項１】
内部に充填された薬剤を吐出するためのノズル部を有するシリンジと、該シリンジのノズル部に交換可能に外嵌されるノズルアタッチメントとを備え、前記シリンジは、前記ノズル部の周囲に設けられた円筒状のロック部をさらに備え、前記ノズルアタッチメントは、前記ロック部に対して所定のロック位置まで所定方向に回転操作されることにより前記ロック部に固定されるノズル交換式薬剤注入器において、
前記ロック部は周方向所定位置に第１係合部を備え、前記ノズルアタッチメントは、前記ロック位置まで所定方向に回転操作されたときに前記ロック部に対する前記ノズルアタッチメントの逆回転を阻害するように前記第１係合部に周方向に係合する第２係合部を備えていることを特徴とするノズル交換式薬剤注入器。
【請求項２】
請求項１に記載のノズル交換式薬剤注入器において、前記ノズル部は先細りの管状に構成され、前記ノズルアタッチメントは前記ロック部に螺着され、前記ノズルアタッチメントは、前記ロック位置まで回転操作されたときに前記ノズル部の先端部がきつく嵌合する絞り部と、該絞り部に軸方向に連設され且つ前記ロック位置まで回転操作されたときに前記ノズル部の先端部以外の部分に緩く嵌合する延長部とを備え、前記ノズル部の先端部は、前記ノズルアタッチメントを前記ノズル部に対して前記ロック位置まで所定方向に回転操作することにより前記絞り部に対して螺進して該絞り部にきつく嵌合されていることを特徴とするノズル交換式薬剤注入器。
【請求項３】
請求項１又は２に記載のノズル交換式薬剤注入器において、前記第１係合部は前記ロック部の外周面に設けられ且つ軸方向からみて径方向外方に隆起する凸部であり、前記ノズルアタッチメントは前記ロック部の先端部外周に位置する突起を備え、前記第２係合部は、前記突起の内周部に設けられ且つ軸方向からみて径方向内方に隆起する凸部であることを特徴とするノズル交換式薬剤注入器。
【請求項４】
請求項１，２又は３に記載のノズル交換式薬剤注入器において、前記ロック部の内周面には雌ネジを構成する一若しくは複数のネジ山が設けられ、前記ノズルアタッチメントの外周面には前記雌ネジに係合する係合片が設けられ、少なくとも前記ノズルアタッチメントが前記ロック位置にあるとき、前記係合片の前記所定方向における先端部が前記雌ネジを構成するいずれかのネジ山の軸方向基端側の縁部に接触するとともに、前記係合片の前記所定方向における基端部が前記雌ネジを構成するいずれかのネジ山の軸方向先端側の縁部に接触することを特徴とするノズル交換式薬剤注入器。
【請求項５】
請求項１〜４のいずれか１項に記載のノズル交換式薬剤注入器において、前記ノズルアタッチメントは、前記ロック位置まで回転操作されたときに前記ノズル部の先端部に軸方向に接触するシール面を備えていることを特徴とするノズル交換式薬剤注入器。
【発明の詳細な説明】
【技術分野】
【０００１】
本発明は、シリンジの先端部にノズルアタッチメントが着脱自在に取付けられたノズル交換式薬剤注入器に関する。
【背景技術】
【０００２】
この種従来のノズル交換式の歯科用薬剤注入器として、下記の特許文献１に開示されたものが知られている。この従来の歯科用薬剤注入器は、シリンジの先端にノズル部とルアーロック部とが一体に設けられ、これらノズル部及びルアーロック部に対してアダプターを介してノズルアタッチメント（細口ノズル）が交換可能に取付けられている（特に、段落番号００１７〜００１９、図２参照）。
【先行技術文献】
【特許文献】
【０００３】
【特許文献１】特開２００９−１１３４１号公報
【発明の概要】
【発明が解決しようとする課題】
【０００４】
上記従来の歯科用薬剤注入器では、ノズルアタッチメントとアダプターとが別体に構成されているため、使用時の組み付け作業が煩雑となるとともに、コスト高となるという問題がある。
【０００５】
一方、アダプターをノズルアタッチメントに一体形成することもできるが、ノズルアタッチメントは患者の口腔内に挿入するものであって適度な弾性を有することが要求されるため、ノズルアタッチメントの成形材料中に所定量のエラストマーが混入されることが一般的である。このようにエラストマーを混入した場合、成形材料表面にオイルブリードが生じ、滲出したオイルによってルアーロック部にねじ込まれたノズルアタッチメントの緩みが生じ、歯科用薬剤の適切な注入が行えなくなるという問題が生じてしまう。
【０００６】
また、緩みの発生を防止するために、ノズル部及びルアーロック部と、ノズルアタッチメントとの嵌め合いをきつくすると、ノズルアタッチメントの着脱操作を円滑に行えなくなる。
【０００７】
そこで、本発明は、ノズルアタッチメントの着脱操作を円滑に行うことができるものでありながら、オイルブリードに起因するノズルアタッチメントの緩みを防止することのできるノズル交換式薬剤注入器を提供することを目的とする。
【課題を解決するための手段】
【０００８】
本発明は、上記課題を解決するために、次の技術的手段を講じた。
【０００９】
すなわち、本発明は、内部に充填された薬剤を吐出するためのノズル部を有するシリンジと、該シリンジのノズル部に交換可能に外嵌されるノズルアタッチメントとを備え、前記シリンジは、前記ノズル部の周囲に設けられた円筒状のロック部をさらに備え、前記ノズルアタッチメントは、前記ロック部に対して所定のロック位置まで所定方向に回転操作されることにより前記ロック部に固定されるノズル交換式薬剤注入器において、前記ロック部は周方向所定位置に第１係合部を備え、前記ノズルアタッチメントは、前記ロック位置まで所定方向に回転操作されたときに前記ロック部に対する前記ノズルアタッチメントの逆回転を阻害するように前記第１係合部に周方向に係合する第２係合部を備えていることを特徴とするものである。
【００１０】
かかる本発明のノズル交換式薬剤注入器によれば、ノズル部及びロック部に対するノズルアタッチメントの嵌合を比較的緩くしても、ノズルアタッチメントがロック位置にあるとき、ロック部の第１係合部にノズルアタッチメントの第２係合部が周方向に係合することによって、オイルブリードに起因するノズルアタッチメントの逆回転が阻害され、ノズルアタッチメントの着脱操作を円滑かつ迅速に行えるものでありながらノズルアタッチメントの固定が緩むことを防止できる。
【００１１】
なお、本発明において、ロック部は、その内周面に雌ネジが設けられたルアーロック構造とすることが好ましいが、内周面にＬ字形状の係合溝を設けて、まずノズルアタッチメントをロック部に対して軸方向に押し込み、その後ノズルアタッチメントを周方向に回転操作することによって軸方向の抜けが防止される構造とすることもできる。
【００１２】
上記本発明のノズル交換式薬剤注入器において、前記ノズル部は先細りの管状に構成され、前記ノズルアタッチメントは前記ロック部に螺着され、前記ノズルアタッチメントは、前記ロック位置まで回転操作（すなわち、ロック部に対してねじ込み操作）されたときに前記ノズル部の先端部がきつく嵌合する絞り部と、該絞り部に軸方向に連設され且つ前記ロック位置まで回転操作されたときに前記ノズル部の先端部以外の部分に緩く嵌合する延長部とを備え、前記ノズル部の先端部は、前記ノズルアタッチメントを前記ノズル部に対して前記ロック位置まで所定方向に回転操作することにより前記絞り部に対して螺進して該絞り部にきつく嵌合されているものとすることができる。かかる構成によれば、ノズル部の先端部のみがノズルアタッチメントにきつく嵌合するため、ノズルアタッチメントを取付けるための回転操作の途中段階においては当該回転操作に対する抵抗が殆どなく、より円滑にノズルアタッチメントの着脱操作を行えるものとしつつ、ロック位置までノズルアタッチメントを回転操作したときはノズル部の先端部がノズルアタッチメントにきつく嵌合することにより、ノズルアタッチメントの緩みの発生を一層防止できるとともに、ノズル部の先端部の外周面とノズルアタッチメントの絞り部の内周面との間から液剤が漏れ出すことを効果的に防止できる。さらに、ノズルアタッチメントをロック部に対して螺進させることによってノズル部の先端部にノズルアタッチメントをきつく嵌合させるため、かかるきつい嵌合力を比較的軽い力の回転操作によって得ることができる。
【００１３】
さらに、前記第１係合部は前記ロック部の外周面に設けられ且つ軸方向からみて径方向外方に隆起する凸部であり、前記ノズルアタッチメントは前記ロック部の先端部外周に位置する突起を備え、前記第２係合部は、前記突起の内周部に設けられ且つ軸方向からみて径方向内方に隆起する凸部とすることができる。かかる構成によれば、全体構成のコンパクト化を図りつつ、回転操作の最終段階で第２係合部が第１係合部を円滑に乗り越えるようになり、ノズルアタッチメントがロック位置まで回転操作されたときに適度なロック感が得られ、ロック位置まで回転操作したことを使用者が把握し易くなる。なお、第１係合部及び第２係合部は、丘状に隆起するものとするのが好ましいが、一方が丘状に隆起するものであればよく、他方は四角形状などとすることもできる。
【００１４】
また、前記ロック部の内周面には雌ネジを構成する一若しくは複数のネジ山が設けられ、前記ノズルアタッチメントの外周面には前記雌ネジに係合する係合片が設けられ、少なくとも前記ノズルアタッチメントが前記ロック位置にあるとき、前記係合片の前記所定方向における先端部（すなわち、周方向の一端部）が前記雌ネジを構成するいずれかのネジ山の軸方向基端側の縁部に接触するとともに、前記係合片の前記所定方向における基端部（すなわち、周方向の他端部）が前記雌ネジを構成するいずれかのネジ山の軸方向先端側の縁部に接触する構成とすることができる。ここで、ネジ山の軸方向基端側の縁部とは、螺旋状のネジ山の螺旋の中途部における軸方向基端部のことであり、ネジ山の軸方向先端側の縁部とは、螺旋状のネジ山の螺旋の中途部における軸方向先端部のことである。かかる構成によれば、ノズルアタッチメントの係合片がロック部の雌ネジに対して軸方向先端側及び基端側のいずれの方向にも係合することによって、ノズルアタッチメントを逆方向に回転させなければノズルアタッチメントがロック部に対して軸方向にガタツキが生じることがなく、より一層ノズルアタッチメントの固定を確実なものとすることができる。
【００１５】
また、前記ノズルアタッチメントは、前記ロック位置まで回転操作されたときに前記ノズル部の先端部に軸方向に接触するシール面を備えているものとすることができる。これによれば、ノズルアタッチメントのシール面がノズル部の先端部に圧接されることによって、ノズル部の先端部とノズルアタッチメントのシール面との間から薬剤が漏れ出すことが防止される。
【発明の効果】
【００１６】
本発明によれば、ノズルアタッチメントの着脱操作を円滑に行うことができるものでありながら、オイルブリードに起因するノズルアタッチメントの緩みを防止することができる。
【図面の簡単な説明】
【００１７】
【図１】本発明の一実施形態に係るノズル交換式薬剤注入器の全体斜視図である。
【図２】同薬剤注入器の正面縦断面図である。
【図３】同薬剤注入器の側面縦断面図である。
【図４】同薬剤注入器の底面図である。
【図５】同薬剤注入器のシリンジ先端部の拡大斜視図である。
【図６】同薬剤注入器のノズルアタッチメントの斜視図である。
【図７】同ノズルアタッチメントの正面図である。
【図８】同ノズルアタッチメントの右側面図である。
【図９】同ノズルアタッチメントの底面図である。
【図１０】同薬剤注入器のシリンジ先端部とノズルアタッチメントとの係合構造を示す拡大正面図である。
【発明を実施するための形態】
【００１８】
以下、本発明の好適な実施の形態を図面に基づいて説明する。
【００１９】
図１〜図１０は本発明の一実施形態に係るノズル交換式の歯科用薬剤注入器１を示しており、該薬剤注入器１は、シリンジ２と、該シリンジ２の先端部に着脱自在に螺着されるノズルアタッチメント３とにより構成されている。本実施形態のノズルアタッチメント３は、シリンジ２に対して所定のロック位置まで所定方向に回転操作しつつねじ込むことによってシリンジ先端部に取付け固定される。図１〜図３及び図１０は、ノズルアタッチメント３がロック位置で固定されている状態を図示している。
【００２０】
シリンジ２は、種々の歯科用薬剤、例えば根管及び歯周ポケット等へ注入される各種医薬品、医薬部外品、接着剤若しくは充填剤などが内部に充填される円筒状ボディと、該円筒状ボディの先端部に一体成形された先細り筒状のノズル部４及びルアーロック部５とを備えている。円筒状ボディには、図示しないプランジャが内嵌され、該プランジャの引き込み操作によってノズル部４を介して薬剤がボディ内に吸引されるとともに、プランジャの押し込み操作によってボディ内の薬剤がノズル部４を介して吐出される。シリンジ２は、透明な樹脂製若しくはガラス製とすることができる。なお、シリンジ２の外径は１０ｍｍ前後、全長は５〜１０ｃｍ程度とすることができる。
【００２１】
上記ノズル部４及びルアーロック部５は円筒状ボディと同心状に設けられており、ルアーロック部５はノズル部４の外周側に設けられている。ノズル部４は、ルアーロック部５よりも先端側に向けて延設されている。ルアーロック部５の外径は円筒状ボディの外径と同一とされ、ルアーロック部５の内周面とノズル部４の外周面との間には隙間が設けられている。ノズル部４の外周面は軸方向先端側に至るにしたがって徐々に小径となるテーパー面とされている。ルアーロック部５の内周面は軸方向先端側に至るにしたがって僅かに大径とされている。
【００２２】
ルアーロック部５の内周面には雌ネジが設けられている。図示実施例においては、雌ネジは２条のネジ山６ａ，６ｂによって構成されているが、１条ネジによって雌ネジを構成することもできる。
【００２３】
上記ノズルアタッチメント３は、ノズル部４に外嵌される円筒状基部と、該円筒状基部に連設された細口ノズル７と、円筒状基部の外周部に一体成形されたフランジ８とを備えている。細口ノズル７は図示実施例では屈曲成形されているが、直筒状に構成されていてもよい。このノズルアタッチメント３は、適度な弾性を有するようにエラストマーが混入された熱可塑性樹脂製となされている。
【００２４】
円筒状基部の基端部外周には、ロック部５の雌ネジに螺合する係合片９が径方向外方に向けて突設されている。図示実施例では、係合片９は直径方向に対向して一対（２つ）設けられ、各係合片９は周方向に平坦な突片により構成されている。なお、係合片９は３つ以上設けられていてもよく、また、複数の係合片９を軸方向に位置をずらして設けることも可能である。また、各係合片９は、多少螺旋状に傾斜して形成されていてもよい。各係合片９は、図１０に示すように、係合片９の図示左端部（前記所定方向における先端部）が雌ネジを構成する一のネジ山６ａの軸方向基端側の縁部に下方（軸方向基端側）から接触するとともに、係合片９の図示右端部（前記所定方向における基端部）が雌ネジを構成する他のネジ山６ｂの軸方向先端側の縁部に上方（軸方向先端側）から接触するように構成されている。なお、ノズルアタッチメント３がロック位置にあるときは係合片９の両端が各ネジ山６ａ，６ｂに比較的強く押し付けられるが、ロック位置の手前では比較的弱く押し付けられるか若しくは隙間が生じるようにネジ山６ａ，６ｂの形状を定義することもできる。また、係合片９及び各ネジ山６ａ，６ｂの軸方向寸法（厚さ）は０．５〜１．０ｍｍ程度であってよく、係合片９と各ネジ山６ａ，６ｂが若干オーバーラップする寸法設計であっても、係合片９の端部が適度に変形して良好な係合関係となる。
【００２５】
ノズルアタッチメント３の円筒状基部は、ロック位置にあるときにノズル部４の先端部にきつく外嵌する円筒状絞り部１０と、該絞り部１０に軸方向に連設され且つロック位置にあるときにノズル部４の先端部以外の部分に緩く外嵌する円筒状延長部１１とを備えている。延長部１１はロック部５内に挿入され、該延長部１１の軸方向基端部に上記係合片９が設けられている。図示実施例では、絞り部１０の内周面と延長部１１の内周面との間に段部が設けられているが、ノズル部の先端部の径を先端部以外の径よりも若干大径とするならば絞り部と延長部の内径は同一であっても良い。また、ノズルアタッチメント３をシリンジ２の先端部にねじ込む初期段階、すなわち、ロック部５の雌ネジに係合片８が係合した直後においてはノズル部４の先端部は絞り部１０内に嵌合しておらず、ノズルアタッチメント３をロック部５に対して螺進させていくにしたがってノズル部４の先端部が絞り部１０内に嵌合していくように各部の寸法が設定されている。
【００２６】
また、ノズルアタッチメント３の円筒状基部の先端部内面には、ノズル部４の先端部に対向するシール面１２が設けられており、ノズルアタッチメント３がロック位置にあるときノズル部４の先端部がシール面１２に圧接されるようになっている。
【００２７】
ロック部５の先端部外周面には、一対の第１係合部１３が直径方向に対向する位置に設けられている。各第１係合部１３は、ロック部５の先端部外周面に形成された凹部１４内に設けられ、該凹部１４の軸方向基端側縁部１４ａはネジ山６ａ，６ｂと同じ勾配で傾斜されている。凹部１４も直径方向に対向して一対設けられている。各第１係合部１３は、軸方向からみて径方向外方に丘状に隆起する凸部により構成されている。
【００２８】
一方、ノズルアタッチメント３のフランジ８には、その外周縁近傍から軸方向基端側に突設されてロック部５の上記凹部１４の外周に位置する突起１５が設けられ、該突起１５は、ノズルアタッチメント３がロック位置まで回転操作されると凹部１４の上記所定方向の先端側縁部１４ｂに当接し、それ以上所定方向に回転操作されることが規制される。突起１５の内周部には、軸方向からみて径方向内方に丘状に隆起する凸部からなる第２係合部１６が設けられている。なお、突起１５に代えて、ロック部５の先端部に外嵌されるキャップをフランジ８に設けて、該キャップの内周面に第２係合部１６を設けることもできる。
【００２９】
上記ノズルアタッチメント３の第２係合部１６の最小内径は、凹部１４の外周面の径よりも大きいが、第１係合部１３の最大外径よりも小さい。したがって、ノズルアタッチメント３をシリンジ２の先端部にねじ込んでいくと、突起１５が僅かに弾性変形することによって第２係合部１６が第１係合部１３を乗り越えて、第２係合部１６が第１係合部１３と縁部１４ｂとの間に位置づけられ、この位置がロック位置となる。
【００３０】
以上説明した本実施形態に係るノズル交換式薬剤注入器によれば、ノズルアタッチメント３をシリンジ２に対してロック位置に組み付ける過程においては、ノズル部４外周面とノズルアタッチメント３内周面との間に隙間があり、一対の係合片９の左右両端部のみがロック部５の雌ネジに係合している状態であるので、回転操作に対する摩擦抵抗が小さく、円滑にノズルアタッチメント３の着脱交換操作を行うことができる。その一方、ノズルアタッチメント３がロック位置に組み付けられたときは、ノズル部４の先端部がノズルアタッチメント３のシール面１２に軸方向に圧接され、ノズル部４の先端部がノズルアタッチメント３の絞り部１０にきつく内嵌され、かつ、一対の係合片９の左右両端部がロック部５の雌ネジに対して軸方向先端側に向けても基端側に向けても係合されており、これらによってノズルアタッチメント３がシリンジ２に対して軸方向のガタツキなく安定的に固定されるとともに、ノズルアタッチメント３の緩み方向への回転は、第１及び第２係合部１３，１６の周方向への係合によって阻害されているため、不慮にノズルアタッチメント３が緩むことが殆どなく、医療行為のための適所への薬剤注入操作を円滑かつ的確に行えるようになる。
【００３１】
本発明は上記実施形態に限定されるものではなく、適宜設計変更することができる。例えば、ノズルアタッチメントの係合片は、雄ネジを構成するネジ山によって構成することもできる。また、ロック部のネジ山の螺旋長はそれほど長くなくともよく、ノズルアタッチメントを半周程度回転するだけでロック位置に位置づけられるように構成することもできる。また、第１係合部はロック部の先端面や内周面に形成してもよく、これに対応して第２係合部を設ける位置も適所とすることができる。また、第１及び第２係合部のいずれか一方は凹部によって構成することもでき、この場合、第１係合部と第２係合部とが嵌合する位置をロック位置とすることができる。
【００３２】
また、本願の図面に表された薬剤注入器、シリンジ及び薬剤注入器用交換ノズル（ノズルアタッチメント）は、それぞれ意匠登録出願に出願変更することができる。交換ノズルは、その全体意匠として把握することができるのは勿論のこと、フランジ８及び突起の外形形状のみを特徴とする部分意匠として把握することもでき、また、延長部及び係合片の外形形状のみを特徴とする部分意匠として把握することもでき、さらに、フランジ８、突起、延長部及び係合片の外形形状のみを特徴とする部分意匠として把握することもできる。シリンジは、その全体意匠として把握することができるのは勿論のこと、先端部（すなわち、ノズル部及びルアーロック部）の外形形状のみを特徴とする部分意匠として把握することもできる。
【符号の説明】
【００３３】
１  ノズル交換式薬剤注入器
２  シリンジ
３  ノズルアタッチメント
４  ノズル部
５  ロック部
６ａ，６ｂ  雌ネジのネジ山
９  係合片
１０  絞り部
１１  延長部
１２  シール面
１３  第１係合部
１５  突起
１６  第２係合部
【図１】
2015089420.tif 000003
【図２】
2015089420.tif 000004
【図３】
2015089420.tif 000005
【図４】
2015089420.tif 000006
【図５】
2015089420.tif 000007
【図６】
2015089420.tif 000008
【図７】
2015089420.tif 000009
【図８】
2015089420.tif 000010
【図９】
2015089420.tif 000011
【図１０】
2015089420.tif 000012